(57)【要約】【課題】アップリンクとダウンリンクの間の切替タイミングを高精度に推定する。【解決手段】実施形態の通信中継装置において、制御部は、ＯＦＤＭシンボルとＣＰ（Cyclic  Prefix）の組を単位とし、複数の組を有する無線フレームを無線基地局から受信した場合に、元の無線フレームと時間シフトした無線フレームとの間の所定区間における相似性に基いて、アップリンクとダウンリンクの間の切替タイミングを検出し、検出された切替タイミングと、記憶部に記憶されたフレーム構成情報と、に基いて、次回以降のアップリンクとダウンリンクの間の切替タイミングを推定する。【選択図】図２
2019129440.tif 000002
【特許請求の範囲】
【請求項１】
ＴＤＤ（Time  Division  Duplex）方式を採用する無線基地局と携帯通信端末装置との間の通信の中継を行う通信中継装置であって、
ＴＤＤ方式において予め定められた、無線フレームにおけるダウンリンク、アップリンク、ガード区間の割り当ての情報を示すフレーム構成情報を記憶する記憶部と、
ＯＦＤＭ（Orthogonal  Frequency  Division  Multiplexing）シンボルとＣＰ（Cyclic  Prefix）の組を単位とし、複数の前記組を有する無線フレームを前記無線基地局から受信した場合に、元の前記無線フレームと時間シフトした前記無線フレームとの間の所定区間における相似性に基いて、前記アップリンクと前記ダウンリンクの間の切替タイミングを検出し、
検出された前記切替タイミングと、前記記憶部に記憶された前記フレーム構成情報と、に基いて、次回以降のアップリンクとダウンリンクの間の切替タイミングを推定する制御部と、
を備える、通信中継装置。
【請求項２】
前記無線基地局からケーブルを介して供給されるダウンリンク信号を検波する検波部を、さらに備え、
前記制御部は、前記検波部による前記ダウンリンク信号の検波結果を併せて用いて、前記切替タイミングを推定する、請求項１に記載の通信中継装置。
【請求項３】
複数の前記組を有する無線フレームを前記無線基地局から受信した場合に、元の前記無線フレームと時間シフトした前記無線フレームとの間の所定区間における相似性を示す値を、畳み込み積分を用いて算出する算出部を、さらに備え、
前記制御部は、前記算出部によって算出された前記相似性を示す値を用いて、前記切替タイミングを推定する、請求項１または請求項２に記載の通信中継装置。
【請求項４】
複数の前記組を有する無線フレームを前記無線基地局から受信した場合に、元の前記無線フレームと時間シフトした前記無線フレームとの間の所定区間における相似性を示す値を、相関係数を用いて算出する算出部を、さらに備え、
前記制御部は、前記算出部によって算出された前記相似性を示す値を用いて、前記切替タイミングを推定する、請求項１または請求項２に記載の通信中継装置。
【請求項５】
ＴＤＤ方式を採用する無線基地局と携帯通信端末装置との間の通信の中継を行う通信中継装置で実行される制御方法であって、
前記通信中継装置は、ＴＤＤ方式において予め定められた、無線フレームにおけるダウンリンク、アップリンク、ガード区間の割り当ての情報を示すフレーム構成情報を記憶する記憶部を備えており、
ＯＦＤＭシンボルとＣＰの組を単位とし、複数の前記組を有する無線フレームを前記無線基地局から受信した場合に、元の前記無線フレームと時間シフトした前記無線フレームとの間の所定区間における相似性に基いて、前記アップリンクと前記ダウンリンクの間の切替タイミングを検出するステップと、
検出された前記切替タイミングと、前記記憶部に記憶された前記フレーム構成情報と、に基いて、次回以降のアップリンクとダウンリンクの間の切替タイミングを推定するステップと、
を備える、制御方法。
【請求項６】
ＴＤＤ方式を採用する無線基地局と携帯通信端末装置との間の通信の中継を行う通信中継装置で実行されるプログラムであって、
前記通信中継装置は、ＴＤＤ方式において予め定められた、無線フレームにおけるダウンリンク、アップリンク、ガード区間の割り当ての情報を示すフレーム構成情報を記憶する記憶部を備えており、
コンピュータである前記通信中継装置に、
ＯＦＤＭシンボルとＣＰの組を単位とし、複数の前記組を有する無線フレームを前記無線基地局から受信した場合に、元の前記無線フレームと時間シフトした前記無線フレームとの間の所定区間における相似性に基いて、前記アップリンクと前記ダウンリンクの間の切替タイミングを検出するステップと、
検出された前記切替タイミングと、前記記憶部に記憶された前記フレーム構成情報と、に基いて、次回以降のアップリンクとダウンリンクの間の切替タイミングを推定するステップと、
を実行させるためのプログラム。
【発明の詳細な説明】
【技術分野】
【０００１】
本発明の実施形態は、通信中継装置、制御方法、および、プログラムに関する。
【背景技術】
【０００２】
従来から、スマートフォン、タブレット端末等の携帯通信端末装置をビル内、地下街内、地下鉄構内等で使用可能とするためのレピータ装置（通信中継装置）が知られている。例えば、レピータ装置は、ＴＤＤ（Time  Division  Duplex）方式を採用する基地局（無線基地局）と携帯通信端末装置の間の通信の中継を行う。
【０００３】
ＴＤＤ方式では、レピータ装置が出力する無線信号は、周辺エリアで利用されている基地局から送信される無線信号と同期している必要がある。レピータ装置は、出力する無線信号を基地局から出力する無線信号と同期させるため、基地局から受信した無線信号からタイミングを抽出する。そして、レピータ装置は、抽出したタイミングに基づき、基地局から受信した無線信号を再送信するタイミングを制御する。
【０００４】
例えば、レピータ装置は、基地局から送信されたダウンリンク信号を検波し、検波レベルが所定の閾値以上になったタイミングを、アップリンクからダウンリンクへの切替タイミングとして検出する。
【先行技術文献】
【特許文献】
【０００５】
【特許文献１】特開２０１６−４６７７６号公報
【発明の概要】
【発明が解決しようとする課題】
【０００６】
しかしながら、上述の検波による手法では、異なる無線機では信号が立ち上がる時の信号レベル特性に差がある等の理由により、アップリンクからダウンリンクへの切替タイミングを高精度に推定するのは困難である。
【０００７】
そこで、本発明の課題は、アップリンクとダウンリンクの間の切替タイミングを高精度に推定することのできる通信中継装置、制御方法、および、プログラムを提供することである。
【課題を解決するための手段】
【０００８】
実施形態の通信中継装置は、ＴＤＤ方式を採用する無線基地局と携帯通信端末装置との間の通信の中継を行う通信中継装置である。通信中継装置は、ＴＤＤ方式において予め定められた、無線フレームにおけるダウンリンク、アップリンク、ガード区間の割り当ての情報を示すフレーム構成情報を記憶する記憶部と、ＯＦＤＭシンボルとＣＰの組を単位とし、複数の前記組を有する無線フレームを前記無線基地局から受信した場合に、元の前記無線フレームと時間シフトした前記無線フレームとの間の所定区間における相似性に基いて、前記アップリンクと前記ダウンリンクの間の切替タイミングを検出し、検出された前記切替タイミングと、前記記憶部に記憶された前記フレーム構成情報と、に基いて、次回以降のアップリンクとダウンリンクの間の切替タイミングを推定する制御部と、を備える。
【図面の簡単な説明】
【０００９】
【図１】図１は、実施形態の無線通信システムの全体構成図である。
【図２】図２は、実施形態のマスターユニットの構成図である。
【図３】図３は、実施形態のＣＰの説明図である。
【図４】図４は、実施形態の無線信号の相関値の説明図である。
【図５】図５は、実施形態のフレーム構成情報を示す図である。
【図６】図６は、実施形態のスペシャルサブフレーム構成情報を示す図である。
【図７】図７は、実施形態のフレーム構成情報と相関値の関係を示す図である。
【図８】図８は、実施形態のマスターユニットによる第１の処理を示すフローチャートである。
【図９】図９は、実施形態のマスターユニットによる第２の処理を示すフローチャートである。
【図１０】図１０は、実施形態において、異なる無線機で信号が立ち上がる時の信号レベル特性に差があることを示すグラフである。
【発明を実施するための形態】
【００１０】
以下、図面を参照して、本発明の通信中継装置、制御方法、および、プログラムの実施形態について説明する。
【００１１】
まず、図１を参照して、実施形態の無線通信システム１０００の全体構成について説明する。図１は、実施形態の無線通信システム１０００の全体構成図である。無線通信システム１０００は、ＴＤＤ（Time  Division  Duplex）方式を採用する基地局１（無線基地局）と、基地局１と同軸ケーブル４で接続されているマスターユニット２（通信中継装置）と、マスターユニット２と光ファイバ５によって接続されている複数のリモートユニット３と、を備えている。
【００１２】
マスターユニット２とリモートユニット３は、基地局１と携帯通信端末装置６（スマートフォン、タブレット端末等）との間の通信の中継を行う通信中継装置である。つまり、マスターユニット２とリモートユニット３は、基地局１からの無線信号が直接届かない（または届きにくい）いわゆる不感地帯であるビル内、地下街内、地下鉄構内等で携帯通信端末装置６を使用可能とするためのレピータ装置である。リモートユニット３は、携帯通信端末装置６と無線通信するためのアンテナ３１を備えている。
【００１３】
基地局１は、ＴＤＤ方式を利用して通信する。基地局１は、ＲＦ（Radio  Frequency）帯のダウンリンク信号を生成し、生成したダウンリンク信号を２つに分配する。基地局１は、一方のダウンリンク信号を、同軸ケーブル４を介してマスターユニット２へ出力する。
【００１４】
次に、図２を参照して、実施形態のマスターユニット２の構成について説明する。図２は、実施形態のマスターユニット２の構成図である。マスターユニット２は、切替部２１（スイッチ）、カプラ２２、検波器２３（検波部）、ＡＤ（Analog-to-Digital）変換器２４、ＤＡ（Digital-to-Analog）変換器２５、および、信号処理部２６を備える。信号処理部２６は、相関器２６１、制御部２６２、記憶部２６３、および、光電変換部２６４を備える。信号処理部２６は、例えば、ソフトウエアやＦＰＧＡ（Field-Programmable  Gate  Array）により実現される。
【００１５】
切替部２１は、一端が基地局１に接続され、また、他端を、カプラ２２の方向にあるダウンリンク通信路と、ＤＡ変換器２５の方向にあるアップリンク通信路と、のいずれかに接続するように切り替える。具体的には、切替部２１は、基地局１から同軸ケーブル４を介して供給されるダウンリンク信号と、光電変換部２６４からＤＡ変換器２５を介して供給されるアップリンク信号とを受け取る。また、切替部２１は、信号処理部２６の制御部２６２で生成される切替制御信号を受け取り、その切替制御信号に応じた切替動作を行う。つまり、切替部２１は、切替制御信号に従い、ダウンリンク信号をＡＤ変換器２４経由で光電変換部２６４へ出力する経路と、アップリンク信号を同軸ケーブル４経由で基地局１へ出力する経路とを切り替える。カプラ２２は、ダウンリンク通信路の伝送信号を２系統に分岐する。
【００１６】
検波器２３は、カプラ２２から受けたダウンリンク信号を検波（例えばエンベロープ検波）する。検波器２３は、検波したエンベロープ信号を、ローパスフィルタ（不図示）等を介して制御部２６２へ出力する。
【００１７】
ＡＤ変換器２４は、カプラ２２から受けたダウンリンク信号をデジタル信号に変換し、相関器２６１（詳細は後述）と光電変換部２６４へ出力する。
【００１８】
光電変換部２６４は、ＡＤ変換器２４から供給されるダウンリンク信号を電／光変換し、光信号を光ファイバ５経由でリモートユニット３へ出力する。また、光電変換部２６４は、リモートユニット３から供給されるアップリンク信号を光／電変換し、アップリンク信号をＤＡ変換器２５へ出力する。
【００１９】
記憶部２６３は、ＴＤＤ方式において予め定められた、無線フレームにおけるダウンリンク、アップリンク、ガード区間の割り当ての情報を示すフレーム構成情報（詳細は後述）を記憶する。制御部２６２は、各種制御を行う（詳細は後述）。
【００２０】
次に、図３を参照して、実施形態のＣＰ（Cyclic  Prefix）について説明する。図３は、実施形態のＣＰの説明図である。ＯＦＤＭ（Orthogonal  Frequency  Division  Multiplexing）方式では、主にマルチパス対策として、１つのＯＦＤＭシンボル（長さ66.66μs。符号Ａ）の後方の一部（符号Ａ２）をコピーしてＣＰ（符号Ａ１）としてＯＦＤＭシンボルの前に付加してある。つまり、ＯＦＤＭ方式の無線フレームでは、ＯＦＤＭシンボルとＣＰの組を単位とする。このような無線フレームが、例えば、基地局１からマスターユニット２に送信される。なお、上述のコピーという動作は必須ではなく、例えば、ＯＦＤＭシンボルの一部とＣＰが共通したものになっていればよい。
【００２１】
ここで、図４は、実施形態の無線信号の相関値（自己相関値。相関係数）の説明図である。マスターユニット２の相関器２６１がＡＤ変換器２４を介して受信したダウンリンク信号を用いて相関値を算出する。元の（つまり、時間シフトしていない）無線フレーム１０１は、Ａ２部分を含むＯＦＤＭシンボルＡとそのＣＰであるＡ１の組、Ｂ２部分を含むＯＦＤＭシンボルＢとそのＣＰであるＢ１の組、Ｃ２部分を含むＯＦＤＭシンボルＣとそのＣＰであるＣ１の組、を有している。
【００２２】
また、この無線フレーム１０１を時間シフトしたものが、無線フレーム１０２である。これらの無線フレーム１０１と無線フレーム１０２との間の所定区間（例えばＣＰと同じ長さの区間）における相似性の一例である相関値（自己相関値）について考える。なお、図４の下方に示す相関値は、その時点からその時点よりも所定区間分の時間だけ後の時点までの相関値を表している。
【００２３】
無線フレーム１０２を、無線フレーム１０１に対して少しずらした時点では、所定区間内のデータの相関性はほとんどないので、相関値がほぼゼロである。そして、無線フレーム１０２を、無線フレーム１０１に対してＯＦＤＭシンボル１つ分の長さだけずらした時点では、無線フレーム１０２のＡ１のデータと、無線フレーム１０１のＡ２のデータが一致するので、相関値が１（ノイズを考慮すると１より少し小さい値）となる。マスターユニット２の制御部２６２は、この性質を利用して、相関器２６１から受信した相関値に基いて、アップリンクとダウンリンクの間の切替タイミングを検出することができる（詳細は後述）。
【００２４】
次に、図５を参照して、記憶部２６３に記憶されたフレーム構成情報について説明する。図５は、実施形態のフレーム構成情報を示す図である。ＴＤＤ方式を用いたＬＴＥ（Long  Term  Evolution）の無線通信技術であるＴＤ−ＬＴＥ方式では、無線フレームにおけるダウンリンク、アップリンク、ガード区間の割り当てが、３ＧＰＰ（Third  Generation  Partnership  Project）等によって規定されている。この割り当ての情報を示すのが、フレーム構成情報である。
【００２５】
図５に示すように、フレーム構成情報では、設定０〜６ごとに、スイッチポイント周期とサブフレーム番号とが対応付けられている。サブフレーム番号において、「Ｄ」がダウンリンクサブフレーム（Downlink  Sub  Frame）を表し、「Ｕ」がアップリンクサブフレーム（Uplink  Sub  Frame）を表し、「Ｓ」がスペシャルサブフレーム（Special  Sub  frame）を表す。
【００２６】
また、スペシャルサブフレームにもパターンがあり、それを示したのが図６である。図６は、実施形態のスペシャルサブフレーム構成情報を示す図である。図６において、「ＤｗＰＴＳ」がダウンリンク・パイロット・タイムスロット（Downlink  Pilot  Time  Slot）を表し、「ＧＰ」がガード区間（Guard  Period）を表し、「ＵｐＰＴＳ」がアップリンク・パイロット・タイムスロット（Uplink  Pilot  Time  Slot）を表す。スペシャルサブフレーム構成情報では、設定０〜８ごとに、「ＤｗＰＴＳ」、「ＧＰ」、「ＵｐＰＴＳ」が図６に示すように割り当てられている。
【００２７】
そして、通信に用いる無線フレームに対応するフレーム構成情報（図５）における設定（０〜６）やスペシャルサブフレーム構成情報（図６）における設定（０〜８）は、マスターユニット２等の各装置に記憶させる。マスターユニット２は、相関値に基いてアップリンクとダウンリンクの間の切替タイミング（以下、単に「切替タイミング」ともいう。）を一箇所検出すれば、その検出された切替タイミングと、記憶したフレーム構成情報（スペシャルサブフレーム構成情報を含む）に基いて、次回以降のアップリンクとダウンリンクの間の切替タイミングを高精度に推定することができる。
【００２８】
ここで、図７は、実施形態のフレーム構成情報と相関値の関係を示す図である。なお、通信に用いる無線フレームに対応するフレーム構成情報（図５）における設定は「２」で、スペシャルサブフレーム構成情報（図６）における設定は「６」であるものとする。また、図７のフレーム構成情報における「＃０」〜「＃９」は、サブフレーム番号を表す。
【００２９】
図７に示すように、ダウンリンク（Ｄｗ）である時刻ｔ１１〜ｔ１２、時刻ｔ１４〜ｔ１５、および、ｔ１７以降は、相関値が「０」と「１」の間で頻繁に増減を繰り返す。それ以外の、アップリンク（Ｕｐ）とガード区間（ＧＰ）の時間帯は、信号をモニタしていないため、相関値はゼロのままである。
【００３０】
したがって、マスターユニット２の制御部２６２は、相関器２６１から相関値を取得し続けることで、時刻ｔ１２でダウンリンクが終わったことや、時刻ｔ１４でダウンリンクが始まったこと（アップリンクからダウンリンクに切り替わったこと）等を認識することができる。
【００３１】
つまり、マスターユニット２の制御部２６２は、無線フレームを基地局１から受信した場合に、元の無線フレームと時間シフトした無線フレームとの間の所定区間における相似性（相関器２６１が算出する相関値等）に基いて、アップリンクとダウンリンクの間の切替タイミングを検出し、検出された切替タイミングと、記憶部２６３に記憶されたフレーム構成情報（スペシャルサブフレーム構成情報を含む）と、に基いて、次回以降のアップリンクとダウンリンクの間の切替タイミングを高精度に推定することができる。そして、制御部２６２は、その推定した切替タイミングに基いて、切替部２１（図２）に対する切替制御信号を用いた切替制御や、光電変換部２６４を介してリモートユニット３でのアップリンクとダウンリンクの間の切替制御等を行うことができる。
【００３２】
なお、前記相似性を示す値として、相関器２６１が算出する相関値の代わりに、信号処理部２６内の算出部（不図示）が畳み込み積分を用いて算出した所定の値を用いてもよい。
【００３３】
次に、図８を参照して、実施形態のマスターユニット２による第１の処理について説明する。図８は、実施形態のマスターユニット２による第１の処理を示すフローチャートである。
【００３４】
ステップＳ１において、マスターユニット２の制御部２６２は、相関器２６１から相関値を取得する。次に、ステップＳ２において、制御部２６２は、アップリンク／ダウンリンクの切替タイミング（アップリンクとダウンリンクの間の切替タイミング）を検出したか否かを判定し、Ｙｅｓの場合はステップＳ３に進み、Ｎｏの場合はステップＳ１に戻る。
【００３５】
ステップＳ３において、制御部２６２は、ステップＳ２で検出された切替タイミングと、記憶部２６３に記憶されたフレーム構成情報と、に基いて、次回以降のアップリンクとダウンリンクの間の切替タイミングを推定する。
【００３６】
次に、ステップＳ４において、制御部２６２は、ステップＳ３で推定した切替タイミングに基いて、切替部２１（図２）に対する切替制御信号を用いた切替制御や、光電変換部２６４を介したリモートユニット３でのアップリンクとダウンリンクの間の切替制御等の各種制御を行う。ステップＳ４の後、ステップＳ１に戻る。
【００３７】
このようにして、実施形態のマスターユニット２による第１の処理によれば、相関値に基いてアップリンクとダウンリンクの間の切替タイミングを検出し、検出された切替タイミングとフレーム構成情報（スペシャルサブフレーム構成情報を含む）に基いて次回以降のアップリンクとダウンリンクの間の切替タイミングを高精度に推定することができる。
【００３８】
一方、例えば、従来の手法として、以下のようなものがある。レピータ装置が基地局から送信される無線信号を受信する場合、無線信号は、伝搬される空間において、干渉波、フェージング、マルチパス等による複数の影響を受け得る。レピータ装置は、受信した無線信号からアップリンクとダウンリンクの間の切替タイミングを正確に抽出するため、無線信号を復調する必要がある。その場合、レピータ装置は、高価な復調ＩＣ（Integrated  Circuit）を実装しなければならない。しかしながら、本実施形態の手法によれば、そのような復調ＩＣが不要な分、低コスト化を実現できる。
【００３９】
また、上述の従来の検波によってアップリンクからダウンリンクへの切替タイミングを検出する手法に比べて、本実施形態の手法では、異なる無線機では信号が立ち上がる時の信号レベル特性に差がある等の理由に関係なく、アップリンクとダウンリンクの間の切替タイミングを高精度に推定することができる。
【００４０】
ここで、図１０は、実施形態において、異なる無線機で信号が立ち上がる時の信号レベル特性に差があることを示すグラフである。図１０に示すように、無線機Ｘと無線機Ｙでは、信号が立ち上がる時の信号レベル特性に差がある。例えば、時刻ｔ２３以降での無線機Ｘ、Ｙの信号レベルを揃えるように両信号を時間軸方向に調整した場合、無線機Ｘでは信号レベルが検波閾値を超えたタイミングが時刻ｔ２１であるのに対し、無線機Ｙでは信号レベルが検波閾値を超えたタイミングが時刻ｔ２２である。
【００４１】
したがって、この手法では、アップリンクからダウンリンクへの切替タイミングを、異なる複数の無線機に関して同一の処理で決定することができないという短所がある。本実施形態の手法によれば、そのような短所は無い。
【００４２】
次に、図９を参照して、実施形態のマスターユニット２による第２の処理について説明する。図９は、実施形態のマスターユニット２による第２の処理を示すフローチャートである。
【００４３】
ステップＳ１１において、マスターユニット２の制御部２６２は、相関器２６１から相関値を取得する。次に、ステップＳ１２において、制御部２６２は、アップリンクからダウンリンクへの切替タイミングを検出したか否かを判定し、Ｙｅｓの場合はステップＳ１３に進み、Ｎｏの場合はステップＳ１１に戻る。
【００４４】
ステップＳ１３において、制御部２６２は、ステップＳ１２で検出された切替タイミングと、記憶部２６３に記憶されたフレーム構成情報と、に基いて、次回以降のアップリンクとダウンリンクの間の切替タイミングを推定する。
【００４５】
次に、ステップＳ１４において、制御部２６２は、検波器２３によるダウンリンク信号の検波結果に基いて、ステップＳ１３で推定した切替タイミングを補正する。
【００４６】
次に、ステップＳ１５において、制御部２６２は、ステップＳ１４で補正した推定切替タイミングに基いて、切替部２１（図２）に対する切替制御信号を用いた切替制御や、光電変換部２６４を介したリモートユニット３でのアップリンクとダウンリンクの間の切替制御等の各種制御を行う。ステップＳ１５の後、ステップＳ１１に戻る。
【００４７】
このようにして、実施形態のマスターユニット２による第２の処理によれば、第１の処理の場合と比較して、検波器２３による検波結果を併用する分、アップリンクとダウンリンクの間の切替タイミングの推定の精度をさらに高めることができる。
【００４８】
なお、上述の第２の処理では、推定した切替タイミングを検波器２３による検波結果を用いて補正することとしたが、順番を逆にして、検波器２３による検波結果を用いて大まかな切替タイミングを推定し、その後で、相関値を用いてその推定切替タイミングを補正してもよい。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５０】
また、本実施形態のマスターユニット２で実行されるプログラムは、インストール可能な形式又は実行可能な形式のファイルでＣＤ（Compact  Disc）−ＲＯＭ（Read  Only  Memory）、フレキシブルディスク（ＦＤ）、ＣＤ−Ｒ（Recordable）、ＤＶＤ（Digital  Versatile  Disk）等のコンピュータ装置で読み取り可能な記録媒体に記録して提供することができる。また、本実施形態のマスターユニット２で実行されるプログラムを、インターネット等のネットワーク経由で提供または配布するようにしてもよい。
【符号の説明】
【００５１】
１…基地局、２…マスターユニット、３…リモートユニット、４…同軸ケーブル、５…光ファイバ、６…携帯通信端末装置、２１…切替部、２２…カプラ、２３…検波器、２４…ＡＤ変換器、２５…ＤＡ変換器、２６…信号処理部、３１…アンテナ、２６１…相関器、２６２…制御部、２６３…記憶部、２６４…光電変換部、１０００…無線通信システム
【図１】
2019129440.tif 000003
【図２】
2019129440.tif 000004
【図３】
2019129440.tif 000005
【図４】
2019129440.tif 000006
【図５】
2019129440.tif 000007
【図６】
2019129440.tif 000008
【図７】
2019129440.tif 000009
【図８】
2019129440.tif 000010
【図９】
2019129440.tif 000011
【図１０】
2019129440.tif 000012